【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
1つまたは複数のキャリアを含む波形を、第1のワイヤレスデバイスにおいて生成するステップと、
前記波形と隣接波形との間の干渉を低減するように前記波形を整形するステップと、
前記整形された波形を非同期的にスペクトル上で送信するステップと
を備える方法。
【請求項２】
1つまたは複数のキャリアを備える前記波形を前記第1のワイヤレスデバイスにおいて生成する前記ステップが、
送信されるべき複数のユーザトーンを生成するステップと、
直交周波数分割多元接続(OFDMA)変調を前記複数のユーザトーンに適用するステップと、
前記OFDMA変調から送信信号を生成するステップと
を備え、
前記波形と隣接波形との間の干渉を低減するように前記波形を整形する前記ステップが、
前記第1のワイヤレスデバイスが非同期的に送信することを可能にするように、前記送信信号をフィルタリングするステップを備え、
前記整形された波形を非同期的に前記スペクトル上で送信する前記ステップが、前記送信信号を送信するステップを備える、
請求項1に記載の方法。
【請求項３】
前記第1のワイヤレスデバイスが非同期的に送信することを可能にするように前記送信信号をフィルタリングする前記ステップが、重み付きオーバーラップおよび加算フィルタを使用して前記送信信号をフィルタリングするステップを備える、請求項2に記載の方法。
【請求項４】
前記重み付きオーバーラップおよび加算フィルタを使用して前記送信信号をフィルタリングする前記ステップが、前記複数のユーザトーンのうちの1つから導出された入力シンボルの一部分を複製および重み付けし、前記入力シンボルの前記一部分を前記入力シンボルの冒頭に付加するステップを備える、請求項3に記載の方法。
【請求項５】
1つまたは複数のキャリアを備える前記波形を前記第1のワイヤレスデバイスにおいて生成する前記ステップが、
送信されるべきユーザベースバンド信号を生成するステップと、
前記ユーザベースバンド信号をアップサンプリングし、それによって、アップサンプリングされた信号を生成するステップと、
サイクリックプレフィックスを生成するステップと、
前記アップサンプリングされた信号の中に前記サイクリックプレフィックスを挿入するステップと
を備え、
前記波形と隣接波形との間の干渉を低減するように前記波形を整形する前記ステップが、
前記アップサンプリングされた信号を前記サイクリックプレフィックスとともにフィルタリングし、それによって、フィルタリングされた信号を生成するステップと、
前記フィルタリングされた信号を事前選択されたユーザサブキャリアにおいて変調し、それによって、前記整形された波形を生成するステップと
を備える、
請求項1に記載の方法。
【請求項６】
ワイヤレス通信デバイスであって、
1つまたは複数のキャリアを含む波形を、第1のワイヤレスデバイスにおいて生成するための手段と、
前記波形と隣接波形との間の干渉を低減するように前記波形を整形するための手段と、
前記整形された波形を非同期的にスペクトル上で送信するための手段と
を備えるワイヤレス通信デバイス。
【請求項７】
ワイヤレス通信の方法であって、
スペクトル上での非同期通信を介した信号を、第1のワイヤレスデバイスにおいて受信するステップと、
前記スペクトル上での他の非同期通信からの干渉を低減するように、前記受信信号をフィルタリングするステップと、
前記フィルタリングされた信号からユーザデータを復元するステップと
を備える方法。
【請求項８】
前記スペクトル上での非同期通信を介した前記信号を前記第1のワイヤレスデバイスにおいて受信する前記ステップが、
直交周波数分割多元接続(OFDMA)通信システムの中の第2のワイヤレスデバイスから前記信号を受信するステップを備え、
前記スペクトル上での他の非同期通信からの干渉を低減するように前記受信信号をフィルタリングする前記ステップが、
前記OFDMA通信システムの中の他の非同期通信からの干渉を低減するように、前記受信信号をフィルタリングするステップを備え、
前記フィルタリングされた信号から前記ユーザデータを復元する前記ステップが、
複数の周波数領域出力を生成するために、前記受信信号にOFDMA復調を適用するステップと、
前記第2のワイヤレスデバイスからの複数のユーザトーンを復元するために、前記周波数領域出力に周波数領域等化を適用するステップと
を備える、
請求項7に記載の方法。
【請求項９】
前記OFDMA通信システムの中の他の非同期通信からの干渉を低減するように前記受信信号をフィルタリングする前記ステップが、重み付きオーバーラップおよび加算フィルタを使用して前記受信信号をフィルタリングするステップを備える、請求項8に記載の方法。
【請求項１０】
前記OFDMA通信システムの中の他の非同期通信からの干渉を低減するように前記受信信号をフィルタリングする前記ステップが、前記受信信号の中の入力シンボルの末尾部分を複製および重み付けし、前記入力シンボルの前記末尾部分を前記入力シンボルの冒頭に付加するステップを備える、請求項9に記載の方法。
【請求項１１】
前記OFDMA通信システムの中の他の非同期通信からの干渉を低減するように前記受信信号をフィルタリングする前記ステップが、前記受信信号の中の入力シンボルの冒頭部分を複製および重み付けし、前記入力シンボルの前記冒頭部分を前記入力シンボルの末尾に付加するステップを備える、請求項9に記載の方法。
【請求項１２】
前記スペクトル上での非同期通信を介した前記信号を前記第1のワイヤレスデバイスにおいて受信する前記ステップが、
前記スペクトル上で非同期的に通信している第2のワイヤレスデバイスから信号を受信するステップを備え、
前記スペクトル上での他の非同期通信からの干渉を低減するように前記受信信号をフィルタリングする前記ステップが、
事前選択されたサブキャリアにおけるユーザ信号を取得するために、前記受信信号を復調およびフィルタリングし、それによって、前記スペクトル上で非同期的に通信している他のワイヤレスデバイスからの干渉を低減するステップを備え、
前記フィルタリングされた信号から前記ユーザデータを復元する前記ステップが、
前記ユーザ信号から導出された処理済み信号に周波数領域等化を適用し、それによって、複数の等化されたシンボルを生成するステップと、
前記等化されたシンボルから前記ユーザデータを復元するステップと
を備える、
請求項7に記載の方法。
【請求項１３】
前記周波数領域等化を適用する前に、前記ユーザ信号からサイクリックプレフィックスを除去するステップ
をさらに備える、請求項12に記載の方法。
【請求項１４】
ワイヤレス通信デバイスであって、
スペクトル上での非同期通信を介した信号を、第1のワイヤレスデバイスにおいて受信するための手段と、
前記スペクトル上での他の非同期通信からの干渉を低減するように、前記受信信号をフィルタリングするための手段と、
前記フィルタリングされた信号からユーザデータを復元するための手段と
を備えるワイヤレス通信デバイス。
【請求項１５】
請求項1乃至5および請求項7乃至13のいずれか1項に記載の方法を実行するように構成されたコンピュータ実行可能コードを記憶する非一時的コンピュータ可読記録媒体。